Podtech/llm-jp-corpus-v4-ja_patent huggingface dataset:
【手続補正書】
【提出日】平成18年3月20日(2006.3.20)
【手続補正１】
【補正対象書類名】明細書
【補正対象項目名】特許請求の範囲
【補正方法】変更
【補正の内容】
【特許請求の範囲】
【請求項１】
３次元仮想空間におかれたオブジェクトからの情報を受信する情報処理装置において、
前記オブジェクトの３次元仮想空間情報を２次元の展開図とする展開手段を
備えることを特徴とする情報処理装置。
【請求項２】
前記展開図に前記３次元仮想空間情報に基づいて、色の情報を付加する色付加手段を
さらに備えることを特徴とする請求項１に記載の情報処理装置。
【請求項３】
前記展開図に前記３次元仮想空間情報に基づいて、糊代を付加する糊代付加手段を
さらに備えることを特徴とする請求項１に記載の情報処理装置。
【請求項４】
前記オブジェクトを近似形状で表現するための分割数および糊代形状の設定を行う設定手段を
さらに備えることを特徴とする請求項１に記載の情報処理装置。
【請求項５】
前記展開図の糊代は、３次元仮想空間におかれた前記オブジェクトを実空間で再構成するとき張り合わされる領域である
さらに備えることを特徴とする請求項１に記載の情報処理装置。
【請求項６】
前記３次元仮想空間におかれた前記オブジェクトが多面体である場合、前記展開手段は、前記多面体を、３角形平面オブジェクトに展開する
ことを特徴とする請求項１に記載の情報処理装置。
【請求項７】
前記展開手段により展開された前記２次元の展開図を印刷する印刷手段を
さらに備えることを特徴とする請求項１に記載の情報処理装置。
【請求項８】
前記３次元仮想空間におかれた前記オブジェクトを構成する複数の基本オブジェクトの衝突を判定する判定手段を
さらに備えることを特徴とする請求項１に記載の情報処理装置。
【請求項９】
前記判定手段により前記複数の基本オブジェクトの衝突が判定された場合、その衝突する領域を計算する計算手段を
さらに備えることを特徴とする請求項８に記載の情報処理装置。
【請求項１０】
３次元仮想空間におかれたオブジェクトからの情報を受信する情報処理装置の情報処理方法において、
前記オブジェクトの３次元仮想空間情報を２次元の展開図とする展開ステップを
含むことを特徴とする情報処理方法。
【請求項１１】
３次元仮想空間におかれたオブジェクトからの情報を受信する情報処理装置を制御するプログラムにおいて、
前記オブジェクトの３次元仮想空間情報を２次元の展開図とする展開ステップを
含むことを特徴とするコンピュータが読み取り可能なプログラムが記録されている記録媒体。
【手続補正２】
【補正対象書類名】明細書
【補正対象項目名】０００１
【補正方法】変更
【補正の内容】
【０００１】
【発明の属する技術分野】
本発明は、情報処理装置および方法、並びに記録媒体に関し、特に、３次元仮想空間におかれたオブジェクトからの情報を２次元の展開図とすることで３次元仮想空間におかれたオブジェクトの実空間での再構成を可能にした情報処理装置および方法、並びに記録媒体に関する。
【手続補正３】
【補正対象書類名】明細書
【補正対象項目名】００２１
【補正方法】削除
【補正の内容】
【手続補正４】
【補正対象書類名】明細書
【補正対象項目名】００２２
【補正方法】削除
【補正の内容】
【手続補正５】
【補正対象書類名】明細書
【補正対象項目名】００２３
【補正方法】削除
【補正の内容】
【手続補正６】
【補正対象書類名】明細書
【補正対象項目名】００２４
【補正方法】削除
【補正の内容】
【手続補正７】
【補正対象書類名】明細書
【補正対象項目名】００２５
【補正方法】削除
【補正の内容】
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】削除
【補正の内容】
【手続補正１０】
【補正対象書類名】明細書
【補正対象項目名】００２８
【補正方法】削除
【補正の内容】
【手続補正１１】
【補正対象書類名】明細書
【補正対象項目名】００２９
【補正方法】変更
【補正の内容】
【００２９】
請求項１１に記載の記録媒体のプログラムは、３次元仮想空間におかれたオブジェクトからの情報を受信する情報処理装置を制御するプログラムにおいて、オブジェクトの３次元仮想空間情報を２次元の展開図とする展開ステップを含むことを特徴とする。
【手続補正１２】
【補正対象書類名】明細書
【補正対象項目名】００３０
【補正方法】削除
【補正の内容】
【手続補正１３】
【補正対象書類名】明細書
【補正対象項目名】００３１
【補正方法】削除
【補正の内容】
【手続補正１４】
【補正対象書類名】明細書
【補正対象項目名】００３２
【補正方法】削除
【補正の内容】
【手続補正１５】
【補正対象書類名】明細書
【補正対象項目名】００３３
【補正方法】削除
【補正の内容】
【手続補正１６】
【補正対象書類名】明細書
【補正対象項目名】００３４
【補正方法】削除
【補正の内容】
【手続補正１７】
【補正対象書類名】明細書
【補正対象項目名】００３５
【補正方法】削除
【補正の内容】
【手続補正１８】
【補正対象書類名】明細書
【補正対象項目名】００３６
【補正方法】削除
【補正の内容】
【手続補正１９】
【補正対象書類名】明細書
【補正対象項目名】００３７
【補正方法】削除
【補正の内容】
【手続補正２０】
【補正対象書類名】明細書
【補正対象項目名】００３８
【補正方法】変更
【補正の内容】
【００３８】
請求項１に記載の情報処理装置、請求項１０に記載の情報処理方法、および請求項１１に記載の記録媒体のプログラムにおいては、オブジェクトの３次元仮想空間情報が２次元の展開図に展開される。
【手続補正２１】
【補正対象書類名】明細書
【補正対象項目名】０１０８
【補正方法】変更
【補正の内容】
【０１０８】
【発明の効果】
請求項１に記載の情報処理装置、請求項１０に記載の情報処理方法、および請求項１１に記載の記録媒体のプログラムによれば、オブジェクトの３次元仮想空間情報から２次元の展開図を生成するようにしたので、３次元仮想空間におかれたオブジェクトの実空間での再構成が可能となる。
【手続補正書】
【提出日】平成17年12月22日(2005.12.22)
【手続補正１】
【補正対象書類名】明細書
【補正対象項目名】特許請求の範囲
【補正方法】変更
【補正の内容】
【特許請求の範囲】
【請求項１】  それぞれ異なる種類の情報を入力する複数の入力手段と、
前記複数の入力手段より入力されたそれぞれ異なる種類の入力情報を入力順に組み合わせて解析する入力解析手段とを具えたことを特徴とする情報処理装置。
【請求項２】  前記入力解析手段が、
前記入力情報のそれぞれから概念インスタンスを作成する入力情報概念インスタンス作成手段と、
作成された複数の前記概念インスタンスを統合する概念インスタンス統合手段とを具えたことを特徴とする請求項１記載の情報処理装置。
【請求項３】  入力情報と該情報に対応する概念インスタンスの作成に必要な情報とを対応づけて記憶するデータベースと、
前記データベースを参照して、入力情報に対応する概念インスタンスの作成に必要な情報を検索する検索手段とを具え、
該検索手段により検索された情報に基づいて、前記入力情報概念インスタンス作成手段が概念インスタンスを作成することを特徴とする請求項１または２記載の情報処理装置。
【請求項４】  前記複数の入力手段が手書き情報を入力する手書き入力手段を含むことを特徴とする請求項１ないし３記載の情報処理装置。
【請求項５】  前記複数の入力手段がキー情報を入力するキー入力手段を含むことを特徴とする請求項１ないし３記載の情報処理装置。
【請求項６】  前記複数の入力手段が音声情報を入力する音声入力手段を含むことを特徴とする請求項１ないし３記載の情報処理装置。
【請求項７】  前記複数の入力手段が画像情報を入力する画像入力手段を含むことを特徴とする請求項１ないし３記載の情報処理装置。
【請求項８】  前記画像入力手段が画像情報を光学的に入力することを特徴とする請求項７記載の情報処理装置。
【請求項９】  前記入力手段が自然言語情報を入力する自然言語入力手段を含むことを特徴とする請求項１ないし３記載の情報処理装置。
【請求項１０】  前記入力手段が文字情報を入力する文字入力手段を含むことを特徴とする請求項１ないし３記載の情報処理装置。
【請求項１１】  前記文字入力手段が手書き文字情報をオンライン認識して入力することを特徴とする請求項１０記載の情報処理装置。
【請求項１２】  前記文字入力手段が画像情報中の文字情報を光学的に認識して入力することを特徴とする請求項１０記載の情報処理装置。
【請求項１３】  前記文字入力手段がキー入力情報を文字情報に変換して入力することを特徴とする請求項１０記載の情報処理装置。
【請求項１４】  前記文字入力手段が、キー入力情報を仮名文字情報に変換し、該仮名文字情報を更に漢字仮名混じり文字情報に変換して入力することを特徴とする請求項１３記載の情報処理装置。
【請求項１５】  前記文字入力手段が音声情報を認識して文字情報に変換して入力することを特徴とする請求項１０記載の情報処理装置。
【請求項１６】  前記入力手段より入力される情報の入力順序を記憶する入力順序記憶手段を更に具え、
前記入力解析手段が、前記入力されたそれぞれ異なる種類の入力情報を、前記入力順序記憶手段に記憶された入力順序で組み合わせて解析することを特徴とする請求項１記載の情報処理装置。
【請求項１７】  前記入力手段より入力される情報の入力時刻を記憶する入力時刻記憶手段を更に具え、
前記入力解析手段が、前記入力されたそれぞれ異なる種類の入力情報を、前記入力時刻記憶手段に記憶された入力時刻に基づいて入力順に組み合わせて解析することを特徴とする情報処理装置。
【請求項１８】  それぞれ異なる種類の情報を入力する複数の入力部から情報を入力する入力工程と、
前記入力工程で入力されたそれぞれ異なる種類の入力情報を入力順に組み合わせて解析する入力解析工程とを具えたことを特徴とする情報処理方法。
【請求項１９】  それぞれ異なる種類の情報を入力する複数の入力部から情報を入力する入力工程と、
前記入力工程で入力されたそれぞれ異なる種類の入力情報を入力順に組み合わせて解析する入力解析工程とを具えたことを特徴とするコンピュータ読み取り可能な情報処理プログラムを格納した記憶媒体。
【手続補正２】
【補正対象書類名】明細書
【補正対象項目名】０００６
【補正方法】変更
【補正の内容】
【０００６】
【課題を解決するための手段】
本発明によれば、情報処理装置に、それぞれ異なる種類の情報を入力する複数の入力手段と、前記複数の入力手段より入力されたそれぞれ異なる種類の入力情報を入力順に組み合わせて解析する入力解析手段とを具える。
【手続補正３】
【補正対象書類名】明細書
【補正対象項目名】０００７
【補正方法】変更
【補正の内容】
【０００７】
また、他の態様によれば、情報処理方法に、それぞれ異なる種類の情報を入力する複数の入力部から情報を入力する入力工程と、前記入力工程で入力されたそれぞれ異なる種類の入力情報を入力順に組み合わせて解析する入力解析工程とを具える。
【手続補正４】
【補正対象書類名】明細書
【補正対象項目名】０００８
【補正方法】変更
【補正の内容】
【０００８】
更に、他の態様によれば、記憶媒体に、それぞれ異なる種類の情報を入力する複数の入力部から情報を入力する入力工程と、前記入力工程で入力されたそれぞれ異なる種類の入力情報を入力順に組み合わせて解析する入力解析工程とを具えたことを特徴とするコンピュータ読み取り可能な情報処理プログラムを格納する。
【手続補正書】
【提出日】平成18年8月9日(2006.8.9)
【手続補正１】
【補正対象書類名】明細書
【補正対象項目名】特許請求の範囲
【補正方法】変更
【補正の内容】
【特許請求の範囲】
【請求項１】  水平表面（４１０、５００）を有するワークステーション（４００）であって、シンボルを有する対象物が、水平表面（４１０、５００）の下に取り付けられた第１の読取りモジュール（４１１、５０４）に該シンボルが面している時に該水平表面を越えて電気光学的に読み取られ、
ａ）水平表面（４１０、５００）の上方に延びている隆起したハウジング（４１６、５１２）と、
ｂ）シンボルが向けられた時に該シンボルを読み取るための、前記隆起したハウジング（４１６、５１２）によって支持された第２の読取りモジュール（４２４）と、
ｃ）手持ちモードの操作において前記シンボルが向けられた時に該シンボルの照準及び読取り中にオペレータによって手で誘導されて保持され、かつ非手持ちモードの操作において該シンボルが向けられた時に該シンボルを読み取るために前記水平表面（４１０、５００）に隣接して静止位置に支持される第３の読取りモジュール（４１２、５１４）と、
を含むことを特徴とするワークステーション（４００）。
【請求項２】  前記隆起したハウジング（４１６）は、前記ワークステーション（４００）の顧客側から前記オペレータに向けて前記水平表面（４１０、５００）の上を延びていることを特徴とする請求項１に記載のワークステーション（４００）。
【請求項３】  前記隆起したハウジング（４１６）上の前記オペレータによって見ることができるディスプレイ（４１９）と、該隆起したハウジング（４１６）上の該オペレータがアクセス可能なキーボード（４２０）とを含むことを特徴とする請求項２に記載のワークステーション（４００）。
【請求項４】  前記隆起したハウジング（４１６）上の顧客によって見ることができるディスプレイ（４２２）と、該隆起したハウジング（４１６）上の該顧客がアクセス可能な書込み表面（４３４）とを含むことを特徴とする請求項２に記載のワークステーション（４００）。
【請求項５】  前記隆起したハウジング（４１６）によって支持され、各々が前記対象物に面している付加的な読取りモジュール（４２４、４２６、４２８、４３０）を含むことを特徴とする請求項１に記載のワークステーション（４００）。
【請求項６】  前記非手持ちモードの操作において前記第３の読取りモジュール（４１２）を支持するための、前記水平表面（４１０、５００）に隣接した保持部材（４１４）を含むことを特徴とする請求項１に記載のワークステーション（４００）。
【請求項７】  前記隆起したハウジング（５１２）は、前記ワークステーション（４００）のオペレータ側で縦方向に沿って延びているサイドレールであり、
前記サイドレールは、前記縦方向に垂直な横方向に沿って前記水平表面（４１０、５００）から離間しており、
前記サードレールはまた、前記水平表面（４１０、５００）から上向きに５センチメートルを超えない範囲で延びている、
ことを特徴とする請求項１に記載のワークステーション（４００）。
【請求項８】  前記第３の読取りモジュール（５１４）は、前記非手持ちモードの操作において前記サイドレールによって支持されていることを特徴とする請求項７に記載のワークステーション（４００）。
【手続補正書】
【提出日】平成17年12月16日(2005.12.16)
【手続補正１】
【補正対象書類名】明細書
【補正対象項目名】請求項５
【補正方法】変更
【補正の内容】
【請求項５】前記光学補正手段は、前記結像光学系の光軸方向に対し略直交方向に移動することを特徴とする請求項１又は３記載の揺れ補正装置。
【手続補正２】
【補正対象書類名】明細書
【補正対象項目名】請求項１１
【補正方法】変更
【補正の内容】
【請求項１１】前記光学補正手段は、前記結像光学系の光軸方向に対し略直交方向に移動することを特徴とする請求項７又は９記載の揺れ補正機能付き装置。
【手続補正３】
【補正対象書類名】明細書
【補正対象項目名】請求項１７
【補正方法】変更
【補正の内容】
【請求項１７】前記光学補正手段は、前記撮影光学系の光軸方向に対し略直交方向に移動することを特徴とする請求項１３又は１５記載の撮影装置。
【手続補正書】
【提出日】平成17年12月20日(2005.12.20)
【手続補正１】
【補正対象書類名】明細書
【補正対象項目名】特許請求の範囲
【補正方法】変更
【補正の内容】
【特許請求の範囲】
【請求項１】
画素ＴＦＴと保持容量とを含む画素マトリクス回路を有する半導体装置において、
前記画素ＴＦＴは、絶縁層を介して第１配線の上に形成されたチャネル形成領域と、当該チャネル形成領域に接し、前記第１配線に重なるように形成された低濃度不純物領域と、を有し、
前記保持容量は、前記第１配線と同一層に形成された容量配線、前記チャネル形成領域または前記低濃度不純物領域と同一組成の半導体領域、および前記絶縁層の一部で形成されていることを特徴とする半導体装置。
【手続補正書】
【提出日】平成17年12月14日(2005.12.14)
【手続補正１】
【補正対象書類名】明細書
【補正対象項目名】特許請求の範囲
【補正方法】変更
【補正の内容】
【特許請求の範囲】
【請求項１】
転送元からのデータを転送先へ送るためデータバスのデータを一時的に保持し、かつ保持した前記データを前記データバスに出力するラッチと、あらかじめデータを格納することができるレジスタと、前記レジスタと前記ラッチとを用いて所定の演算を行う演算器と、を具備することを特徴とするデータ転送装置。
【請求項２】
請求項１において、前記演算器が前記レジスタと前記ラッチとを比較演算する比較器であることを特徴とするデータ転送装置。
【請求項３】
請求項１において、前記演算器が転送データの誤り符号訂正機能を持つことを特徴とするデータ転送装置。
【請求項４】
請求項１において、メモリに格納されたレジスタ情報に基づいて複数チャンネルのデータ転送を行い、複数の転送データに対して統括的な比較演算処理を行うことを特徴とするデータ転送装置。
【請求項５】
請求項１において、データ転送終了後の割り込み優先順位を、転送データの内容によって決めることを特徴とするデータ転送装置。
【請求項６】
中央演算装置と、メモリと、データ転送装置と、がデータバスに接続され、
前記データ転送装置が、転送元からのデータを転送先へ送るためのデータバスのデータを一時的に保持し、かつ保持した前記データを前記データバスに出力するラッチと、あらかじめデータを格納することができるレジスタと、前記レジスタと前記ラッチとを用いて所定の演算を行う演算器と、を具備することを特徴とするマイクロコンピュータ。
【請求項７】
中央演算装置及びデータ転送装置を内蔵する複数の情報機器が互いに接続され、前記データ転送装置が、転送元からのデータを転送先へ送るためのデータバスのデータを一時的に保持し、かつ保持した前記データを前記データバスに出力するラッチと、あらかじめデータを格納することができるレジスタと、前記レジスタと前記ラッチとを用いて所定の演算を行う演算器と、を具備することを特徴とするネットワーク。
【請求項８】
第１のバス及び第２のバスに接続されるメモリと、
前記第１のバスに接続される中央演算装置と、
前記第２のバスに接続されるデータ転送装置と、
を備え、
前記メモリは、前記データ転送装置のアドレス情報を格納し、
前記データ転送装置が、転送元からのデータを転送先へ送るためのデータバスのデータを一時的に保持し、かつ保持した前記データを前記データバスに出力するラッチと、あらかじめデータを格納することができるレジスタと、前記レジスタと前記ラッチとを用いて所定の演算を行う演算器と、を具備することを特徴とするシステム。
【請求項９】
取り込むデータをラッチし、再度データを読んだ場合に、ラッチしたデータと比較し、一致した場合にメモリにデータを取り込むことを特徴とするデータ転送装置。
【手続補正書】
【提出日】平成18年7月25日(2006.7.25)
【手続補正１】
【補正対象書類名】明細書
【補正対象項目名】特許請求の範囲
【補正方法】変更
【補正の内容】
【特許請求の範囲】
【請求項１】
捕捉モジュール（43）を備えるインターフェイス回路（41）において、前記インターフェイス回路が、規定されたプロトコルに準拠するコマンド及びデータバス（21）と周辺装置との間に配置されており、前記捕捉モジュール（43）が、前記インターフェイス回路（41）に一体化または組み込まれ、バス解析器の一部としての役割を果たすように構成された局所捕捉モジュールであり、前記捕捉モジュールが、前記コマンド及びデータバスの信号状態の一時的な記憶を行うための第１のメモリ（51）、及び後続のアクセス、遠隔解析、及び診断に備えて、前記周辺装置による信号の表明または非表明の一時的な記憶を行うための第２のメモリ（52）を含む、インターフェイス回路（41）。
【請求項２】
前記第１のメモリ、又は第２のメモリ、又は前記第１及び第２のメモリ（51、52）のそれぞれが、バス信号遷移のヒストリ、及び前記周辺装置による信号の表明または非表明を記憶するように構成されている、請求項１に記載のインターフェイス回路。
【請求項３】
請求項１又は２に記載のインターフェイス回路（41）を備える周辺装置（22）。
【請求項４】
請求項１〜３の何れかに記載のインターフェイス回路（41）を介して、バス（21）を通じて周辺装置（22）に接続されたコンピュータ（12）。
【請求項５】
捕捉モジュールを備えるインターフェイス回路においてバスの状態を捕捉する方法において、前記インターフェイス回路が、規定されたプロトコルに準拠するコマンド及びデータバスと周辺装置との間に配置されており、前記捕捉モジュールが、前記インターフェイス回路に一体化または組み込まれ、バス解析器の一部としての役割を果たすように構成された局所捕捉モジュールであり、前記方法が、
前記コマンド及びデータバスの信号状態を局所的に監視し、前記コマンド及びデータバスの信号状態の変化を第１のメモリに記憶するステップと、
前記周辺装置による信号の表明または非表明を局所的に独立して監視し、後続のアクセス、遠隔解析、及び診断に備えて、前記周辺装置による前記信号の表明または非表明の変化を第２のメモリに記憶するステップとを含む、方法。
【手続補正２】
【補正対象書類名】明細書
【補正対象項目名】００６２
【補正方法】変更
【補正の内容】
【００６２】
本発明のもう１つの態様によれば、バス及び／またはインターフェイス状態の捕捉方法には、バス及び／またはインターフェイスの信号状態の基準と、関連する周辺装置の動作状態または段階の基準を別個に監視するステップと、後続のアクセス、遠隔解析、及び診断に備えて、該基準の変化を別個に記憶するステップが含まれる。
【手続補正書】
【提出日】平成17年12月5日(2005.12.5)
【手続補正１】
【補正対象書類名】明細書
【補正対象項目名】特許請求の範囲
【補正方法】変更
【補正の内容】
【特許請求の範囲】    【請求項１】      複数のパッドを持ち前記パッドに対する打撃に対応した打楽器音を発生するとともに、複数の自動演奏パターンを予め記憶しこれらを読み出して自動演奏を行う自動演奏機能を有している電子打楽器装置において、      前記パッドに対する所定の態様の演奏をトリガ演奏情報として予め記憶するトリガ演奏情報記憶手段と、      前記複数の自動演奏パターンの演奏順序の情報を予め記憶した演奏順序記憶手段と、      演奏者による前記パッドに対する実演奏情報と前記トリガ演奏情報記憶手段に記憶されたトリガ演奏情報とを比較する比較手段と、      前記比較手段による比較の結果、前記実演奏情報と前記トリガ演奏情報とが対応しない場合には前記演奏順序記憶手段に記憶された演奏順序の情報に従って現在演奏中の自動演奏パターンを繰り返し演奏すると共に、前記実演奏情報と前記トリガ演奏情報が対応した場合には前記演奏順序記憶手段に記憶された演奏順序の情報に従って順次に自動演奏パターンを切り替える切替手段とを備えた電子打楽器。    【請求項２】      前記トリガ演奏情報記憶手段に記憶されたトリガ演奏情報は、少なくとも前記パッドに対する打撃タイミングを含む演奏パターン情報であり、前記比較手段はこのトリガ演奏パターン情報と演奏者が打撃した実演奏パターン情報とが一致したときに両演奏情報が対応したと判断するように構成した請求項１記載の電子打楽器。    【請求項３】      前記トリガ演奏情報記憶手段に記憶されたトリガ演奏情報は、前記パッドに対する打撃回数情報であり、前記比較手段はこの打撃回数情報と演奏者が打撃した実演奏回数情報とが一致したときに両演奏情報が対応したと判断するように構成した請求項１記載の電子打楽器。【手続補正２】
【補正対象書類名】明細書
【補正対象項目名】０００６
【補正方法】変更
【補正の内容】
【０００６】本発明に係る電子打楽器は、複数のパッドを持ち前記パッドに対する打撃に対応した打楽器音を発生するとともに、複数の自動演奏パターンを予め記憶しこれらを読み出して自動演奏を行う自動演奏機能を有している電子打楽器装置において、前記パッドに対する所定の態様の演奏をトリガ演奏情報として予め記憶するトリガ演奏情報記憶手段と、前記複数の自動演奏パターンの演奏順序の情報を予め記憶した演奏順序記憶手段と、演奏者による前記パッドに対する実演奏情報と前記トリガ演奏情報記憶手段に記憶されたトリガ演奏情報とを比較する比較手段と、前記比較手段による比較の結果、前記実演奏情報と前記トリガ演奏情報とが対応しない場合には前記演奏順序記憶手段に記憶された演奏順序の情報に従って現在演奏中の自動演奏パターンを繰り返し演奏すると共に、前記実演奏情報と前記トリガ演奏情報が対応した場合には前記演奏順序記憶手段に記憶された演奏順序の情報に従って順次に自動演奏パターンを切り替える切替手段とを備えたものである。この電子打楽器では、演奏者が前記パッドに対して所定の態様の実演奏を行うと、その実演奏の演奏情報と記憶手段に予め記憶しているトリガ演奏の情報とが比較手段により比較され、比較手段が両者が対応しないものであると判断すると、現在演奏中の自動演奏パターンを繰り返し演奏し、両者が対応しているものであると判断すると、それを契機にして、切替手段が自動演奏パターンを演奏順序記憶手段に記憶された演奏順序の情報に従って順次に切り替えて自動演奏を行う。
【手続補正３】
【補正対象書類名】明細書
【補正対象項目名】００４５
【補正方法】変更
【補正の内容】
【００４５】また、上記の各パターン内の要素のモード１（ｍｏｄｅ１）からモード４（ｍｏｄｅ４）には、それぞれの切替えモード１から切替えモード４に対応した値が書き込まれる。【手続補正４】
【補正対象書類名】明細書
【補正対象項目名】００４６
【補正方法】変更
【補正の内容】
【００４６】すなわちモード１（ｍｏｄｅ１）の取り得る値は、「０」〈切り替えない）と「１」（切り替える）である。
【手続補正書】
【提出日】平成18年5月12日(2006.5.12)
【手続補正１】
【補正対象書類名】明細書
【補正対象項目名】特許請求の範囲
【補正方法】変更
【補正の内容】
【特許請求の範囲】
【請求項１】  バッテリーを駆動するように構成された電荷供給回路と、
バッテリー電圧を表す信号を受けるための入力と電荷供給回路に接続された出力とを有する電圧ループ増幅器と、
バッテリー電流を表す信号を受けるための入力と電荷供給回路に接続された出力とを有する電流ループ増幅器と、
前記電圧ループ増幅器の出力および電流ループ増幅器の出力に接続されたクランプ回路と、を有し
前記電圧ループ増幅器または前記電流ループ増幅器の内の非動作状態の増幅器が飽和するのを阻止するように前記クランプ回路が動作することを特徴とするバッテリー充電回路。
【請求項２】  前記電圧ループ増幅器が動作状態で前記電流ループ増幅器が非動作状態のときに、前記クランプ回路は前記電流ループ増幅器の出力を前記電圧ループ増幅器の出力にほぼ等しいレベルにクランプする回路を有する請求項１のバッテリー充電回路。
【請求項３】  前記クランプ回路は：
前記電圧ループ増幅器の出力に接続された第一入力、前記電流ループ増幅器の出力に接続された第二入力、および出力を有する増幅回路と；
前記増幅回路の出力と前記電流ループ増幅器の出力との間に接続されたクランプトランジスタとを有する請求項２のバッテリー充電回路。
【請求項４】  前記増幅回路は、共通接続のソース端子と、前記電圧ループ増幅器および前記電流ループ増幅器の出力にそれぞれ接続されたゲート端子とを有する一対の電界効果トランジスタを有し、
前記クランプトランジスタは前記増幅回路の出力に接続されたゲート端子と、前記電流ループ増幅器の出力に接続された第一通電端子と、接地された第二通電端子とを有する電界効果トランジスタである、請求項３のバッテリー充電回路。
【請求項５】  前記クランプ回路は、前記電圧ループ増幅器が制御動作可能状態で前記電流ループ増幅器が制御動作不可能状態のときに、前記電流ループ増幅器の出力を前記電圧ループ増幅器の出力よりも高いあらかじめ定められたレベルにクランプする回路を有する、請求項１のバッテリー充電回路。
【請求項６】  前記クランプ回路は：
前記電圧ループ増幅器の出力に接続された第一端子と、第二端子とを有するダイオードと；
前記電流ループ増幅器の出力に接続された入力端子と、前記ダイオードの第二端子に接続された出力端子とを有するバッファとを前記クランプ回路が有する請求項５のバッテリー充電回路。
【請求項７】  前記ダイオードの第一端子はカソードから成り、また第二端子はアノードから成り、前記バッファはユニティ利得結合増幅器を有する、請求項６のバッテリー充電回路。
【請求項８】  前記クランプ回路は：
第一入力、第二入力および出力を有するバッファ増幅器と；
前記電圧ループ増幅器の出力と前記バッファ増幅器の第一入力との間に接続された第一抵抗要素と；
電源電圧と前記バッファ増幅器の第一入力との間に接続された第二抵抗要素と；
前記バッファ増幅器の出力と前記バッファ増幅器の第二入力との間に接続されたトランジスタと、を有する、請求項５のバッテリー充電回路。
【請求項９】  前記クランプ回路は、前記電流ループ増幅器出力と前記電圧ループ増幅器出力との間でクロスクランプできるようにさらに構成されている、請求項１のバッテリー充電回路。
【請求項１０】  前記クランプ回路は：
前記電流ループ増幅器の出力と前記電圧ループ増幅器の出力との間に接続され、かつ非動作状態の電圧ループ増幅器の出力を動作状態の電流ループ増幅器の出力に応じて所定のレベルにクランプするように構成された電圧ループクランプ回路と；
前記電圧ループ増幅器の出力と前記電流ループ増幅器の出力との間に接続され、かつ非動作状態の電流ループ増幅器の出力を動作状態の電圧ループ増幅器の出力に応じて所定のレベルにクランプするように構成された電流ループクランプ回路と、を有する請求項９のバッテリー充電回路。
【請求項１１】  前記電圧ループクランプ回路と前記電流ループクランプ回路はそれぞれ、一方の出力を他方の出力にバッファを介して接続したダイオードを有する、請求項１０のバッテリー充電回路。
【請求項１２】  前記電圧ループクランプ回路と前記電流ループクランプ回路はそれぞれ、前記増幅器の出力信号をその入力で受け取り、クランプトランジスタの制御端子を駆動する増幅器を有する請求項１０のバッテリー充電回路。
【請求項１３】  バッテリー電力レベルを表す信号を受ける入力と、前記クランプ回路に接続された出力とを有する電力ループ増幅器を有し、
前記クランプ回路は前記電力ループが非動作状態のときに前記電力ループ増幅器が飽和するのを阻止するように動作する、請求項１のバッテリー充電回路。
【請求項１４】  電圧ループ増幅器によってバッテリー電圧を検出するステップと、
電流ループ増幅器によってバッテリー電流を検出するステップと、
前記電圧ループ増幅器の出力または前記電流ループ増幅器の出力に応じて前記バッテリーに供給される電荷量を制御するステップと、
前記電圧ループ増幅器と前記電流ループ増幅器の内の非動作状態のループ増幅器の出力をクランプすることにより、非動作状態のループ増幅器が飽和するのを阻止するステップと、から成るバッテリー充電方法。
【請求項１５】  前記クランプステップが、前記電流ループ増幅器の出力を前記電圧ループ増幅器の出力よりも１ダイオード分高い電圧とほぼ等しい電圧にクランプする、請求項１４のバッテリー充電方法。
【請求項１６】  前記クランプステップが、前記電流ループ増幅器の出力を前記電圧ループ増幅器の出力にほぼ等しい電圧にクランプする、請求項１４のバッテリー充電方法。
【請求項１７】  前記クランプステップが：
前記電圧ループ増幅器の出力を前記電流ループ増幅器の出力と比較するステップと；
前記比較ステップに応じてクランプトランジスタを制御するステップとから成る請求項１４のバッテリー充電方法。
【請求項１８】  前記電圧ループ増幅器の出力を前記電流ループ増幅器の出力でクランプすることにより前記電圧ループ増幅器が非動作状態のときに飽和するのを阻止するステップをさらに有する、請求項１４のバッテリー充電方法。
【請求項１９】  電力ループ増幅器によってバッテリー電力レベルを検出するステップをさらに有し、前記クランプステップはさらに前記電力ループが非動作状態のときに前記電力ループ増幅器の出力をクランプして、前記電力ループ増幅器が飽和するのを阻止する請求項１４のバッテリー充電方法。
【手続補正書】
【提出日】平成18年4月28日(2006.4.28)
【手続補正１】
【補正対象書類名】明細書
【補正対象項目名】特許請求の範囲
【補正方法】変更
【補正の内容】
【特許請求の範囲】
【請求項１】  複数の振動子素子が配列されてなる振動子と、この振動子の各振動子の一方の面に配設された音響整合層と、前記振動子の他方の面に配設されたバッキング材とを有してなる探触子本体と、この探触子本体を収容するハウジングと、前記バッキング材に熱的に接続された熱伝導体とを備えた超音波探触子において、
前記振動子と前記バッキング材との間に、前記振動子に比べて低い音響インピーダンスを有する低音響インピーダンス層を備えることを特徴とする超音波探触子。
【請求項２】  前記バッキング材の厚みを前記振動子の短軸方向に変化させて形成したことを特徴とする請求項１に記載の超音波探触子。
【請求項３】  前記バッキング材の前記熱伝導体が配設される面に複数の凸状部が設けられ、この凸状部は、間隔を空けて前記振動子の長軸方向に延在して形成されたことを特徴とする請求項１又は２に記載の超音波探触子。
【請求項４】  前記熱伝導体は、前記ハウジングの一部の内側面に接触可能に配設され、かつ該接触面の反対面と前記ハウジングの内側面との間に空隙を有して配設され、前記空隙に位置させて前記熱伝導体を前記接触面の方向に押圧する弾性部材が設けられたことを特徴とする請求項１乃至３のいずれかに記載の超音波探触子。
【請求項５】  前記熱伝導体と該熱伝導体に接触する前記ハウジングの内側面との間に、空気に比べて高い熱伝導性を有する物質が介在されることを特徴とする請求項１乃至４のいずれかに記載の超音波探触子。
【手続補正書】
【提出日】平成18年4月28日(2006.4.28)
【手続補正１】
【補正対象書類名】明細書
【補正対象項目名】特許請求の範囲
【補正方法】変更
【補正の内容】
【特許請求の範囲】
【請求項１】
血管拡張作用を有する波長のレーザー光を皮膚上からパルス照射する複数のレーザー照射手段と、
皮下の目的部位に前記レーザー光が集中するように、前記複数のレーザー照射手段のレーザー光の出射口を放射状に位置決めして固定する保持手段と、
前記複数のレーザー照射手段が時間差を置いてレーザー照射するように制御する制御手段と、
を有することを特徴とする循環促進用レーザー照射装置。
【請求項２】
前記制御手段は、前記目的部位に同時に前記レーザー光が到達するように、放射状に配置された前記各出射口のうち、外側から内側の順にわずかな時間差を置いてレーザー光を照射させる請求項２に記載の循環促進用レーザー照射装置。
【請求項３】
前記レーザー光は、波長が４００ｎｍ〜６００ｎｍである請求項１〜２のいずれか一項に記載の循環促進用レーザー照射装置。
【手続補正書】
【提出日】平成18年4月17日(2006.4.17)
【手続補正１】
【補正対象書類名】明細書
【補正対象項目名】０００４
【補正方法】変更
【補正の内容】
【０００４】
【特許文献１】特開平７−１２４３４７号公報
【特許文献２】特開平９−１２２３６３号公報
【特許文献３】特開２００１−１９８３６７号公報
【手続補正２】
【補正対象書類名】明細書
【補正対象項目名】０００５
【補正方法】変更
【補正の内容】
【０００５】
【発明が解決しようとする課題】
図５は上述した電気かみそりを、刃ヘッド部２０をつけたまま駆動した状態で洗浄する方法を示す。５０が洗浄液５２を貯溜した洗浄槽であり、この洗浄槽５０に刃ヘッド部２０を下向きにして刃ヘッド部２０を洗浄液中に浸漬させ、電気かみそりを駆動させて洗浄する。
刃受け台１２の内底面と刃ヘッド部２０との間は、毛屑を収納する空間になっており、この空間に取り込まれた毛屑は、内刃２３および駆動軸１４が回転することによって生じる洗浄液の流れの作用によって、毛屑が収納されている空間から外刃２２に設けられているスリット孔を経由して洗浄槽５０に排出される。
【手続補正３】
【補正対象書類名】明細書
【補正対象項目名】００２３
【補正方法】変更
【補正の内容】
【００２３】
パドル体１５に設けた撹拌羽根１５ｂの作用は、まず第一に、刃ヘッド部２０の内部で洗浄液を撹拌させることによって毛屑を強制的に動かす作用であり、これによって刃ヘッド部２０に取り込まれた毛屑を、刃ヘッド部２０の内部から排出させやすくすることができ、毛屑の収納部の壁面に付着している毛屑を排出しやすくすることができる。
本実施形態では、撹拌羽根１５ｂが回転した際に、刃ヘッド部２０の内側から刃ヘッド部２０の外側へ向けて洗浄液を流出させるような作用が生じるようにして、洗浄液の流れとともに外刃２２に設けられているスリット孔から毛屑が洗浄槽５０に排出されるようにしている。このように、洗浄液を刃ヘッド部２０の外部に流すように撹拌羽根１５ｂを設けることによって、毛屑を効果的に排出させることができ、電気かみそりの洗浄を好適に行うことが可能となる。
【手続補正書】
【提出日】平成18年4月19日(2006.4.19)
【手続補正１】
【補正対象書類名】明細書
【補正対象項目名】特許請求の範囲
【補正方法】変更
【補正の内容】
【特許請求の範囲】
【請求項１】  前面に所要の遊技領域が形成された遊技盤と、
遊技者が操作可能な位置に配設され、前記遊技領域に向けて発射される遊技球の発射強度を調整可能な発射ハンドルと、
前記遊技球を発射する発射機構部と、
前記発射ハンドルの操作位置に応じた発射強度となるように前記発射機構部を作動させて前記遊技球を発射させる制御を行う発射制御部とを備える弾球遊技機において、
タッチ部と前記タッチ部に電気的に接続されて前記タッチ部の静電容量の変化を検出し、前記発射制御部に検出信号を出力する検出回路部とから構成され、前記検出信号が出力されているときにのみ、前記発射制御部が前記遊技球を発射させる制御を行う人体接触検出装置であって、
前記タッチ部から前記検出回路部に流入する静電気ノイズを除去するノイズ除去手段を有することを特徴とする人体接触検出装置。
【請求項２】  前面に遊技領域が形成された遊技盤と、
遊技者が操作可能な位置に配設され、前記遊技領域に向けて発射される遊技球の発射強度を調整可能な発射ハンドルと、
前記遊技球を発射する発射機構部と、
前記発射ハンドルの操作位置に応じた発射強度となるように前記発射機構部を作動させて前記遊技球を発射させる制御を行う発射機構部とを備える弾球遊技機において、
前記発射ハンドルに設けられたタッチ部と、
前記発射ハンドル内に配設され前記タッチ部と電気的に接続されて前記タッチ部の静電容量の変化を検出し、前記発射制御部に検出信号を出力する検出回路部とを有するとともに、
前記タッチ部から流入する静電気ノイズを除去するノイズ除去手段を有し、
前記検出信号が出力されているときにのみ、前記発射制御部が前記遊技球を発射させる制御を行うことを特徴とする人体接触検出装置。
【手続補正２】
【補正対象書類名】明細書
【補正対象項目名】０００７
【補正方法】変更
【補正の内容】
【０００７】
【課題を解決するための手段】
前記課題を解決するために、第１の本発明に係る人体接触検出装置（例えば、実施形態におけるタッチ検出装置５０）は、前面に所要の遊技領域が形成された遊技盤と、遊技者が操作可能な位置に配設され、遊技領域に向けて発射される遊技球の発射強度を調整可能な発射ハンドルと、遊技球を発射する発射機構部と、発射ハンドルの操作位置に応じた発射強度となるように発射機構部を作動させて遊技球を発射させる制御を行う発射制御部とを備える弾球遊技機において、タッチ部とこのタッチ部に電気的に接続されてタッチ部の静電容量の変化を検出し、発射制御部に検出信号を出力する検出回路部とから構成され、検出信号が出力されているときにのみ、発射制御部が遊技球を発射させる制御を行うものであって、タッチ部から検出回路部に流入する静電気ノイズを除去するノイズ除去手段（例えば、実施形態におけるノイズ除去回路Ｎｒ）を有して構成される。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
また、このような構成によれば、遊技者がタッチ部に接触するときに、遊技者に溜まった静電気がこのタッチ部を通して静電気ノイズとして検出回路部に流入しようとしても、ノイズ除去手段により除去することができるため、静電気ノイズによる検出回路部の誤動作や破損を防止して人体接触検出装置を安定動作させることができる。
【手続補正５】
【補正対象書類名】明細書
【補正対象項目名】００１１
【補正方法】変更
【補正の内容】
【００１１】
さらに、前記課題を解決するために、第２の本発明に係る人体接触検出装置は、前面に遊技領域が形成された遊技盤と、遊技者が操作可能な位置に配設され、遊技領域に向けて発射される遊技球の発射強度を調整可能な発射ハンドルと、遊技球を発射する発射機構部と、発射ハンドルの操作位置に応じた発射強度となるように発射機構部を作動させて遊技球を発射させる制御を行う発射制御部とを備える弾球遊技機において、発射ハンドルに設けられたタッチ部と、発射ハンドル内に配設されタッチ部と電気的に接続されてこのタッチ部の静電容量の変化を検出し、発射制御部に検出信号を出力する検出回路部とを有するとともに、タッチ部から流入する静電気ノイズを除去するノイズ除去手段を有して構成され、検出信号が出力されているときにのみ、発射制御部が遊技球を発射させる制御を行う。
【手続補正書】
【提出日】平成18年3月31日(2006.3.31)
【手続補正１】
【補正対象書類名】明細書
【補正対象項目名】００１４
【補正方法】変更
【補正の内容】
【００１４】
ミシンアームＡの上面には、第２偏心カム３４を操作する操作ボタン４１が配置されている。操作ボタン４１はコイルバネ４２に巻装され、その下端部はＥリング４３によりミシンアーム横方部Ａ２の内壁に支持されている。操作ボタン４１の先端４１ａは幅細になっており、操作ボタン４１の押圧時に第２偏心カム３４は先端４１ａにより溝部３４ｃで係止される。つまり通常、操作ボタン４１は第２偏心カム３４より離間している。
【手続補正書】
【提出日】平成18年4月18日(2006.4.18)
【手続補正１】
【補正対象書類名】明細書
【補正対象項目名】請求項１
【補正方法】変更
【補正の内容】
【請求項１】布、樹脂叉はゴム素材からなる柔軟性のあるシートで、所望の大きさ形状をもって成型されたシート本体に、所要寸法の凸状部を人体のツボに対応させて配置し、前記シートに手足の挿入のための挿通部として基布の肩部に相当する位置および足部に相当する位置にそれぞれスリットを穿設して挿通穴としたものを形成したことを特徴とする指圧用シート。
【手続補正書】
【提出日】平成18年8月22日(2006.8.22)
【手続補正１】
【補正対象書類名】特許請求の範囲
【補正対象項目名】全文
【補正方法】変更
【補正の内容】
【特許請求の範囲】
【請求項１】
上部領域、第１側部領域、及び第２側部領域を有するヘッド部と、ハンドル部と、前記ヘッド部と前記ハンドル部との間に位置するスロート部とを含むフレームと、
前記第１側部領域と前記第２側部領域との間に延在し、これ等第１側部領域、及び第２側部領域に結合するヨークであって、前記ヘッド部と共にストリングベッド区域を画成しているヨークと、
複数個の横ストリングセグメントと、複数個の主ストリングセグメントとから形成されたストリングベッドとを具え、
前記主ストリングセグメントは少なくとも１個の中心主ストリングセグメントと、少なくとも２個の周縁主ストリングセグメントとを有し、各前記中心主ストリングセグメントは前記ヘッド部の前記上部領域に掛合する第１端と、前記スロート部、及び前記ハンドル部のいずれとも掛合せず、前記ヨークに掛合する第２端とを有し、各前記周縁主ストリングセグメントは前記ストリングベッド区域を横切り、前記ヨークを通じて、前記スロート部内に延長しており、各前記周縁主ストリングセグメントはその末端を前記ヘッド部の前記上部領域に結合し、基端を前記スロート部、及び前記ハンドル部の少なくとも一方に結合したことを特徴とするスポーツ用ラケット。
【請求項２】
前記フレームは縦軸線に沿って延在しており、前記横主ストリングセグメントは前記縦軸線をほぼ垂直に横切って延在しており、前記主ストリングセグメントは前記縦軸線にほぼ垂直に延在している請求項１のスポーツ用ラケット。
【請求項３】
前記ヨークを前記ヘッド部と一体に形成した請求項１のスポーツ用ラケット。
【請求項４】
前記ヨークは少なくとも１個の前記中心主ストリングセグメントを収容し、このセグメントに掛合する少なくとも１個の中心ストリング孔を有し、更に前記ヨークは少なくとも２個の前記周縁主ストリングセグメントを収容する少なくとも２個の離間するストリング溝孔を有する請求項１のスポーツ用ラケット。
【請求項５】
各前記ストリング溝孔は前記ストリングベッドにほぼ垂直に延びる第１寸法を有し、この第１寸法は前記周縁主ストリングセグメントの直径の少なくとも２倍である請求項４のスポーツ用ラケット。
【請求項６】
前記ストリング溝孔の前記第１寸法は前記周縁主ストリングセグメントの直径の少なくとも３倍である請求項５のスポーツ用ラケット。
【請求項７】
少なくとも２個の前記周縁主ストリングセグメントを収容するよう各前記ストリング溝孔の寸法を定めた請求項４のスポーツ用ラケット。
【請求項８】
前記ヨークの各前記ストリング溝孔内に挿入された保護管状ライニングを更に具える請求項５のスポーツ用ラケット。
【請求項９】
前記スロート部、及び前記ハンドル部のうちの少なくとも一方から、前記ヘッド部をエラストーマによって、分離した請求項３のスポーツ用ラケット。
【請求項１０】
前記少なくとも１個の中心主ストリングセグメントが少なくとも２個の中心主ストリングセグメントであり、前記少なくとも２個の周縁主ストリングセグメントが少なくとも４個の周縁主ストリングセグメントである請求項１のスポーツ用ラケット。
【請求項１１】
前記少なくとも１個の中心主ストリングセグメントが全部で８個の中心主ストリングセグメントであり、前記少なくとも２個の周縁主ストリングセグメントが全部で８個の周縁主ストリングセグメントである請求項１のスポーツ用ラケット。
【請求項１２】
前記スロート部は第１管状部材と、第２管状部材とを有し、前記周縁主ストリングセグメントの基端に掛合する複数個のストリング孔を各前記第１管状部材、及び第２管状部材に形成した請求項１のスポーツ用ラケット。
【請求項１３】
前記スロート部の前記第１管状部材、及び前記第２管状部材の前記ストリング孔がストリングベッドの平面とほぼ同一平面にある請求項１２のスポーツ用ラケット。
【請求項１４】
各前記第１管状部材、及び第２管状部材は少なくとも２対のストリング孔を有し、前記２対のストリング孔は前記ストリングベッドによって画成された平面の周りに、ほぼ対称に、相互に離間している請求項１２のスポーツ用ラケット。
【請求項１５】
前記スロート部、及び前記ハンドル部の一方に結合していて、少なくとも２個の前記周縁主ストリングセグメントを支持する支持部を更に具える請求項１のスポーツ用ラケット。
【請求項１６】
前記支持部はローラ、ピン、円筒部材、半円筒部材、アーチ形板、及び管状ハウジングから成る群から選択されたものである請求項１５のスポーツ用ラケット。
【請求項１７】
前記スロート部は第１管状部材、及び第２管状部材を有し、前記第１管状部材、及び前記第２管状部材は相互に向き合うように延びて、二股部を形成しており、前記支持部は前記二股部において前記スロート部に連結されている請求項１５のスポーツ用ラケット。
【請求項１８】
前記支持部を前記ハンドル部の末端領域に連結した請求項１５のスポーツ用ラケット。
【請求項１９】
前記支持部は２個の離間するピン、又はローラであり、各前記ピン、又はローラは少なくとも１個の周縁主ストリングセグメントを支持する形態である請求項１５のスポーツ用ラケット。
【請求項２０】
前記２個の離間するピンは前記ストリングベッドによってほぼ画成された平面に対し角度を成している請求項１９のスポーツ用ラケット。
【請求項２１】
各前記周縁主ストリングセグメントはストリングベッド片と、スロート領域片とを有し、前記スロート領域片は前記ストリングベッド片の平面とほぼ同一平面にある請求項１のスポーツ用ラケット。
【請求項２２】
各前記周縁主ストリングセグメントはストリングベッド片と、スロート領域片とを有し、前記スロート領域片は前記ストリングベッド片とほぼ同一直線上にある請求項１のスポーツ用ラケット。
【手続補正書】
【提出日】平成18年4月20日(2006.4.20)
【手続補正１】
【補正対象書類名】明細書
【補正対象項目名】特許請求の範囲
【補正方法】変更
【補正の内容】
【特許請求の範囲】
【請求項１】
表示装置を備えるスロットマシーン型遊技機において、
前記表示装置に形成された高透過領域を通して各回転ドラムを目視できるものであって、
前記表示装置は、液晶を介して対向配置される各基板を外囲器とし、各基板のうち一方の基板の液晶と反対側の面に形成された偏光板を部分的に切り欠くことにより前記高透過領域を形成することを特徴とするスロットマシーン型遊技機。
【請求項２】
前記偏光板は、
光を偏光するための偏光層と、
紫外領域の光を吸収し可視領域の光を透過するＵＶ遮光層からなり、
前記表示装置は、前記偏光板のうち、前記偏光層のみ切り欠いたことを特徴とする請求項１に記載のスロットマシーン型遊技機。
【請求項３】
前記表示装置は、前記各基板のうち他方の基板の液晶側の面に形成されたカラーフィルタを前記高透過領域に相当する部分において切り欠いていることを特徴とする請求項１及び２に記載のスロットマシーン型遊技機。
【請求項４】  前記表示装置は、前記各基板のうち一方の基板の液晶側の面にその一方向に延在し他の方向に並設されるゲート信号線と他の方向に延在し一の方向に並設されるドレイン信号線とを備え、各ゲート信号線の両端のそれぞれに走査信号駆動回路および各ドレイン信号線の両端のそれぞれに映像信号駆動回路が形成されていることを特徴とする請求項１乃至３のいずれか一項に記載のスロットマシーン型遊技機。
【請求項５】
スロットマシーン型遊技機に表示装置が備えられ、この表示装置に形成された孔あるいは高透過領域を通して各回転ドラムを目視できるものであって、前記表示装置の回転ドラム側の面に該回転ドラムを照らす光源が備えられていることを特徴とするスロットマシーン型遊技機。
【請求項６】
スロットマシーン型遊技機に表示装置が備えられ、この表示装置に形成された孔あるいは高透過領域を通して各回転ドラムを目視できるものであって、前記表示装置は、側壁面に光源を備える導光板を一構成部材とし、この導光板からは回転ドラム側にも光が照射されるようになっていることを特徴とするスロットマシーン型遊技機。
【請求項７】
導光板の回転ドラム側の面に反射シートあるいは反射面が配置され、この反射シートあるいは反射面は、それを介して回転ドラム側に光を通過させる部分をそれ以外の部分よりも反射率を低くしていることを特徴とする請求項６に記載のスロットマシーン型遊技機。
【請求項８】
スロットマシーン型遊技機に表示装置が備えられ、この表示装置に形成された孔を通して各回転ドラムを目視できるものであって、
前記表示装置は、回転ドラム側の背面にフレームを備え、このフレームに前記孔と中心軸をほぼ同じにする孔が形成され、
前記孔は透明板で塞がれていることを特徴とするスロットマシーン型遊技機。
【請求項９】
表示パネルと回転ドラムを有するスロットマシーン型遊技機において、該表示パネルはその背面に配置され該表示パネル側に光を照射する第１のバックライトと、回転ドラム側に光を照射させる第２のバックライトを備え、該表示パネルと第１と第２のバックライトはフレームを用いてモジュール化されていることを特徴とするスロットマシーン型遊技機。
【手続補正２】
【補正対象書類名】明細書
【補正対象項目名】００６２
【補正方法】変更
【補正の内容】
【００６２】
また、表示装置としては主として液晶表示装置を例として示したものであるが、他の表示装置、たとえば有機ＥＬ表示装置等を該液晶表示装置に替えて適用することができることはいうまでもない。
【手続補正書】
【提出日】平成18年4月20日(2006.4.20)
【手続補正１】
【補正対象書類名】明細書
【補正対象項目名】０００８
【補正方法】変更
【補正の内容】
【０００８】
心拍データ生成回路１４は、心筋パルス信号に基づいて単位時間あたりの心拍数を測定すると共に、この心筋パルス信号の０．１５〜０．４［Ｈｚ］成分を、呼吸変動に関わる拍動間隔の揺らぎを表すＲＳＡ（Ｒｅｓｐｉｒａｔｏｒｙ  Ｓｉｎｕｓ  Ａｒｒｈｙｔｈｍｉａ）値として測定する。心拍データ生成回路１４は、測定した上記心拍数及びＲＳＡ値を表す心拍データＣＤを生成し、これを所定周期毎に順次、セレクタ１６に供給する。